(57)【特許請求の範囲】
【請求項１】
受水槽からの消火用水を加圧して流出する消火ポンプと、
上記加圧された消火用水が流通する一次側配管と、
泡消火薬剤が貯蓄された泡消火薬剤タンクと、
上記一次側配管の端部に設けられ上記消火用水と上記泡消火薬剤とを所定の割合で混合し、泡消火用液を生成する混合器と、
上記混合器の二次側に連結され、上記泡消火用液が流通する二次側配管と、
上記二次側配管に接続され、内部に上記泡消火薬剤の水溶液を貯液し、上記水溶液を圧縮空気にて流出させて、該二次側配管内に該水溶液を供給して、上記二次側配管内を所定の圧力とする圧力空気槽と、
上記水溶液が貯液された呼水槽が接続され、上記圧力空気槽と上記呼水槽との間に設けられた補助ポンプと
を備え、
上記圧力空気槽には、
上記二次側配管内が上記所定の圧力より下がると上記補助ポンプを作動させ、上記呼水槽に貯液された上記水溶液を加圧して上記圧力空気槽に充填させる第１圧力スイッチと、
上記第１圧力スイッチが動作する圧力より低圧で動作するように設定され、上記二次側配管内の火災時の減圧を捕えて、上記消火ポンプを作動させる第２圧力スイッチと
が取り付けられていることを特徴とする泡消火設備。
【発明の詳細な説明】
【０００１】
【発明の属する技術分野】
この発明は、消火用水と泡消火薬剤とを混合して放出する泡消火設備に関するものである。
【０００２】
【従来の技術】
図２は従来の泡消火設備を示す説明図である。図２において、１は消火用水１ａを貯蓄する受水槽である。２は受水槽１の消火用水１ａを加圧して流出させる消火ポンプである。３は加圧された消火用水１ａが流通する一次側配管である。
【０００３】
また、４は泡消火薬剤４ａが貯蓄された泡消火薬剤タンクである。泡消火薬剤タンク４は、ダイアフラム４ｂによって、内室と外室に分離されている。そして、泡消火薬剤４ａは、内室に貯蓄されている。一方、外室には、一次側配管３から分岐した分岐配管８が接続され、消火時には、消火ポンプ２によって加圧された消火用水１ａが所定の圧力にてこの外室に流入する。内室に貯蓄された泡消火薬剤４ａは、この圧力によって押されて泡消火薬剤供給管９に所定の圧力で流出する。
【０００４】
また、５は一次側配管３の端部に設けられたベンチュリー構造などの混合器である。混合器５には、泡消火薬剤供給管９が接続され、消火用水１ａと泡消火薬剤４ａとを所定の割合で混合し、泡消火用液（水溶液）を生成する。６は混合器５の二次側に連結され、生成された泡消火用液が流通する二次側配管である。二次側配管６の先端には、例えば、スプリンクラーヘッド等の噴射手段が設けられている。
【０００５】
さらに、２１は一次側配管３の端部に接続された圧力空気槽である。ＰＳ３，ＰＳ４は圧力空気槽２１に取り付けられた圧力スイッチである。ＰＳ４はＰＳ３よりも低圧で作動するように設定されている。２２は圧力空気槽２１に消火用水１ａを供給する小型の補助ポンプである。圧力空気槽２１には、閉じ込めたれた空気と該空気の下側に充填された消火用水１ａとが収納されている。圧力空気槽２１は、空気の圧力で一次側配管３内に所定の圧力で消火用水１ａを流出する。そして、漏洩等により一次側配管３内が所定の圧力以下になると、圧力スイッチＰＳ３がＯＮして図示しない補助ポンプ起動盤を介して補助ポンプ２２が作動し、圧力空気槽２１に圧力スイッチＰＳ３がＯＦＦする所定の圧力まで消火用水１ａを充填する。
【０００６】
さらにまた、１２は消火ポンプ２と補助ポンプ２２に呼水１２ａを供給する呼水槽である。さらに、１７は配管の所定の位置に設けられた複数の仕切弁及び逆止弁である。１８は分岐配管に設けられたバルブである。
【０００７】
このような構成の泡消火設備においては、消火時には、図示しない例えばスプリンクラーヘッドが火災熱により開放して、二次側配管６の泡消火用液が圧力空気槽２１の空気圧により放出される。この時圧力空気槽２１の圧力が急激に下がって圧力スイッチＰＳ３及びＰＳ４がＯＮする。ＰＳ４のＯＮにより図示しないポンプ起動盤を介して消火ポンプ２が作動し、一次側配管３に消火用水１ａを加圧して流出する。次いで、混合器５は、消火用水１ａと泡消火薬剤４ａとを所定の割合で混合し、泡消火用液を生成する。そして、生成された泡消火用液は、スプリンクラーヘッド等の噴射手段から噴射され火災を消火する。
【０００８】
図３は従来の泡消火設備の他の例を示す説明図である。上述の図２の従来例においては、泡消火薬剤タンク４の外室には、一次側配管３から分岐した分岐配管８が接続されている。そのため、消火ポンプ２が作動していない場合でも、圧力空気槽２１からの圧力が働く。一方、図３の従来例においては、泡消火薬剤タンク４の外室に接続された分岐配管１９は、消火ポンプ２から延びている。したがって、図３の従来例においては、消火ポンプ２が作動しないと泡消火薬剤タンク４に圧力が働かない。
【０００９】
【発明が解決しようとする課題】
このような構成の従来の泡消火設備に関しては、一般にスプリンクラーヘッド等の配管、すなわち二次側配管６の継手部分などから泡消火用液（水溶液）が少しづつ漏洩する。そして例えば、図２の泡消火設備においては、このような泡消火用液の漏洩時には減圧するので圧力スイッチＰＳ３がＯＮし、補助ポンプ２２が作動して一次側配管３及び二次側配管６内の監視圧を一定に保つ。しかし、このとき混合器５に流れる消火用水１ａの流量は、非常に少ないものであり、混合器５で泡消火薬剤４ａを泡消火薬剤タンク４より吸収して混合可能な規定流量に達するものでない。そのため、消火用水１ａに泡消火薬剤４ａが混合されることがなく、混合器５の二次側に接続された二次側配管６内の泡消火用液（水溶液）の濃度は、消火用水１ａが供給されるのみで、泡消火薬剤４ａ供給されないため、時間経過と共に薄くなり、規定濃度から下がってしまう問題があった。
【００１０】
また、図３に示す泡消火設備においては、同じようにスプリンクラー配管からの漏洩時には補助ポンプ２２が作動して監視圧を一定上に保つが、補助ポンプ２２は、泡消火薬剤タンク４を加圧しない。そのため、混合器５で泡消火薬剤４ａが混合されず、二次側配管６には消火用水１ａのみが流入し、混合器５の二次側の濃度が時間経過と共に薄くなる問題があった。
【００１１】
さらには、図２及び図３の泡消火設備において、設備上、混合器５から補助ポンプ２２や圧力空気槽２１までの水配管ボリューム（容積）が大きくなることがあり、混合器５の前後の液は通水状態であるため、設備配管の落差の影響にもよるが、放置時間によっては混合器５の二次側の水溶液と置換し、その濃度を薄くする傾向がつよいことがあるので問題であった。
【００１２】
この発明は、上述のような課題を解決するためになされたもので、漏洩における混合器二次側の濃度低下を抑制することができる泡消火設備を得ることを目的とする。
【００１３】
【課題を解決するための手段】
この発明に係る泡消火設備は、受水槽からの消火用水を加圧して流出する消火ポンプと、加圧された消火用水が流通する一次側配管と、泡消火薬剤が貯蓄された泡消火薬剤タンクと、一次側配管の端部に設けられ消火用水と泡消火薬剤とを所定の割合で混合し、泡消火用液を生成する混合器と、混合器の二次側に連結され、泡消火用液が流通する二次側配管と、二次側配管に接続され、内部に泡消火薬剤の水溶液を貯液し、水溶液を圧縮空気にて流出させて、二次側配管内に該水溶液を供給して、二次側配管内を所定の圧力とする圧力空気槽と、水溶液が貯液された呼水槽が接続され、圧力空気槽と呼水槽との間に設けられた補助ポンプとを備え、圧力空気槽には、二次側配管内が所定の圧力より下がると補助ポンプを作動させ、呼水槽に貯液された水溶液を加圧して圧力空気槽に充填させる第１圧力スイッチと、第１圧力スイッチが動作する圧力より低圧で動作するように設定され、二次側配管内の火災時の減圧を捕えて、消火ポンプを作動させる第２の圧力スイッチとが取り付けられている。
【００１６】
【発明の実施の形態】
実施の形態１．
図１は本発明の泡消火設備を示す説明図である。図１において、受水槽１には消火用水１ａが貯蓄されている。消火ポンプ２は、受水槽１からの消火用水１ａを加圧して一次側配管３に流出する。一方、泡消火薬剤タンク４には、泡消火薬剤４ａが貯蓄されている。
【００１７】
泡消火薬剤タンク４は、ダイアフラム４ｂによって、内室と外室に分離されている。そして、泡消火薬剤４ａは、内室に貯蓄されている。一方、外室には、一次側配管３から分岐した分岐配管８が接続され、消火時には、消火ポンプ２によって加圧された消火用水１ａが所定の圧力にて流入する。内室に貯蓄された泡消火薬剤４ａは、この圧力によって、泡消火薬剤供給管９に所定の圧力で流出する。
【００１８】
一次側配管３の消火ポンプ２と反対側の端部には、混合器５が接続されている。混合器５は内部に比例混合機構例えばベンチュリー管を備え、このベンチュリー管には、泡消火薬剤タンク４から延びる泡消火薬剤供給管９が接続されている。混合器５の二次側には、二次側配管６が連結されている。混合器５は、ベンチュリー管にて、消火用水１ａと泡消火薬剤４ａとを所定の割合で混合し、泡消火用液（水溶液７ａ）を生成する。そして、生成された泡消火用液は二次側配管６を流通し、二次側配管６の先端に設けられた例えばスプリンクラーヘッド等の噴射手段から噴射される。
【００１９】
また、二次側配管６には、水溶液供給手段としての圧力空気槽７が接続されている。ＰＳ１，ＰＳ２は圧力空気槽７に取り付けられた圧力スイッチである。ＰＳ２はＰＳ１よりも低圧で作動するように設定されており、火災時、スプリンクラーヘッド等が放水した際の減圧を捕えてＯＮし、図示しないポンプ起動盤を介して消火ポンプを作動させる圧力スイッチである。圧力空気槽７は、内部に水溶液７ａを貯液し、内部に圧縮された空気の圧力により二次側配管６内を所定の圧力の水溶液７ａで満たしている。水溶液７ａは、混合器５によって消火用水１ａと泡消火薬剤４ａとが混合されたものと同じである。
【００２０】
さらに、圧力空気槽７には、補助ポンプ１４を介して、補助ポンプ１４よりも高い位置に設けられ水溶液７ａが貯液された給水槽を兼ねた呼水槽１３が接続されている。呼水槽１３に貯液された水溶液７ａは、二次側配管６内が所定の圧力より下がると、ＰＳ１がＯＮして図示しない補助ポンプ起動盤を介して補助ポンプ１４が作動し、これによって圧力空気槽７及び二次側配管６に加圧されて充填される。
【００２１】
消火ポンプ２には、呼水槽１２が接続され呼水１２ａが供給される。配管の所定の位置には、逆止弁１７やバルブ１８が設けられている。
【００２２】
このような構成の泡消火設備においては、二次側配管６に接続され、内部に水溶液を貯液し、二次側配管６内に水溶液７ａを供給する水溶液供給手段（圧力空気槽７）を備えているので、二次側配管６内の濃度低下を抑制することができる。また、二次側配管６に圧力空気槽７が接続され圧力空気槽７内の水溶液７ａは、混合器５によって消火用水１ａと泡消火薬剤４ａとが混合されたものも充填される。そのため、仮に呼水槽１３及び補助ポンプ１４が省略されても、本願構成の泡消火設備は成り立つ。
【００２３】
また、このような構成の泡消火設備においては、混合器５の一次側に設備していた補助ポンプ１４と圧力空気槽７を混合器５の二次側に設備することで混合器５の一次側配管のボリューム（容積）を小さくすることができ、混合器５を通過して二次側に漏れる水の量を減らすことができ、混合器５の二次側の濃度低下をさらに抑制することができる。
【００２４】
この発明に係る泡消火設備は、受水槽からの消火用水を加圧して流出する消火ポンプと、加圧された消火用水が流通する一次側配管と、泡消火薬剤が貯蓄された泡消火薬剤タンクと、一次側配管の端部に設けられ消火用水と泡消火薬剤とを所定の割合で混合し、泡消火用液を生成する混合器と、混合器の二次側に連結され、泡消火用液が流通する二次側配管と、二次側配管に接続され、内部に泡消火薬剤の水溶液を貯液し、水溶液を圧縮空気にて流出させて、二次側配管内に該水溶液を供給して、二次側配管内を所定の圧力とする圧力空気槽と、水溶液が貯液された呼水槽が接続され、圧力空気槽と呼水槽との間に設けられた補助ポンプとを備え、圧力空気槽には、二次側配管内が所定の圧力より下がると補助ポンプを作動させ、呼水槽に貯液された水溶液を加圧して圧力空気槽に充填させるＰＳ１と、ＰＳ１が動作する圧力より低圧で動作するように設定され、二次側配管内の火災時の減圧を捕えて、消火ポンプを作動させるＰＳ２とが取り付けられている。そのため、二次側配管の水溶液の濃度低下を抑制することができるとともに、二次側配管の水溶液の圧力を一定に保つことができる。また、圧力空気槽の水溶液は、必要に応じて供給され、長時間メンテナンスが不要な泡消火設備とすることができる。
【図面の簡単な説明】
【図１】  本発明の泡消火設備を示す説明図である。
【図２】  従来の泡消火設備を示す説明図である。
【図３】  従来の泡消火設備の他の例を示す説明図である。
【符号の説明】
１  受水槽、１ａ  消火用水、２  消火ポンプ、３  一次側配管、４  泡消火薬剤タンク、４ａ  泡消火薬剤、５  混合器、６  二次側配管、７  圧力空気槽（水溶液供給手段）、７ａ  水溶液、１３  呼水槽、１４  補助ポンプ。
【図１】
0004066130.tif 000002
【図２】
0004066130.tif 000003
【図３】
0004066130.tif 000004